(57)【要約】【課題】所望の固定位置間隔にて設置することができ、構造が簡単で、かつ、他のフレーム等に格別の加工を施す必要がなく、容易に設置することができる防虫網収納装置およびそれを備えた農業用温室を提供することを目的とする。【解決手段】屋根に一側縁を枢支された窓２０と該窓２０を開放および閉鎖する駆動手段２４ａを有する開閉機構２４と前記窓２０の開放状態における前記窓２０の開口部２１を囲繞する防虫網２２とを有する窓構造において前記窓２０の閉鎖動作に伴い前記防虫網２２を室内方向へ収納する防虫網収納装置２３であって、前記窓２０に適宜間隔を隔てて取り付けられると共に前記防虫網２２の一部を保持して前記窓２０の閉鎖動作に伴い前記防虫網２２を室内方向へ収納する、前記駆動手段２４ａとは別体の、収納手段２３を備えるよう構成した。【選択図】    図３
2006136237.tif 000002
【特許請求の範囲】
【請求項１】
屋根に一側縁を枢支された窓と該窓を開放および閉鎖する駆動手段を有する開閉機構と前記窓の開放状態における前記窓の開口部を囲繞する防虫網とを有する窓構造において前記窓の閉鎖動作に伴い前記防虫網を室内方向へ収納する防虫網収納装置であって、
前記窓に適宜間隔を隔てて取り付けられると共に前記防虫網の一部を保持して前記窓の閉鎖動作に伴い前記防虫網を室内方向へ収納する、前記駆動手段とは別体の、収納手段を備えることを特徴とする防虫網収納装置。
【請求項２】
前記収納手段は、前記窓の縁部から下方に向けて垂設された収納アームを備えることを特徴とする請求項１に記載の防虫網収納装置。
【請求項３】
前記収納手段は、前記窓の他側縁から下方に向けて垂設された収納アームと、一端部が前記収納アームの下端部に連結され、他端部が前記屋根の頂部下面に連結される支持ステーと、を備えることを特徴とする請求項１に記載の防虫網収納装置。
【請求項４】
前記収納アームの下端部には、前記防虫網を室内方向へ収納するときに、前記収納アームの閉鎖動作による前記防虫網の巻き込みを防止する巻込防止部を備えることを特徴とする請求項２又は３に記載の防虫網収納装置。
【請求項５】
請求項１乃至４に記載の防虫網収納装置を備えることを特徴とする農業用温室。
【発明の詳細な説明】
【技術分野】
【０００１】
本発明は、例えば農業用温室や農業用ハウス（以下「農業用温室」という）の屋根等に設けられた開閉式の窓から害虫が侵入することを防止する窓用防虫網の収納装置に関するものであり、より詳しくは、前記窓の閉鎖動作に伴い前記防虫網を室内方向へ引き込み、窓閉鎖時において前記防虫網が室外にはみ出ることなく収納できる防虫網収納装置及びそれを備えた農業用温室に関する。
【背景技術】
【０００２】
従来、農業用温室には、屋根に換気用又は採光用等のために窓（天窓等）が設けられるとともに、前記窓の開口部から害虫が侵入することがないように、又は、農作物栽培に使用する受粉用昆虫や天敵昆虫（生物農薬）が室内から逃げ出して生態系に悪影響を及ぼさないように、前記窓の開口部に防虫網が取り付けられているものがある。
【０００３】
前記農業用温室は、屋根に開口部を形成し、該開口部の一側縁に天窓を開閉自在に枢支すると共に、前記天窓の開放側縁には、上下駆動により前記天窓を開閉する駆動アームが取り付けられ、さらに、一端を前記開口部の対向側縁に固定し、かつ、他端を開放状態における天窓の他側縁にそれぞれ固定した防虫網により、天窓開放部分を囲繞している。
【０００４】
しかしながら、前記構造においては、天窓の開閉駆動時に強風等によって、防虫網が天窓の側縁、窓開口の側縁又は駆動アーム等に引っかかり破損する場合や、天窓の閉鎖動作時に防虫網が室外にはみ出した状態で天窓が閉鎖してしまい、前記防虫網のはみ出し部分が風でばたついて破損したり、雪溜まりができる原因となる場合がある。
【０００５】
これらの問題を解決するために、例えば、実用新案登録第３０２６４９５号に記載の防虫網収納装置が提案されている。前記の防虫網収納装置は、図１０に示すように、農業用温室１Ａの屋根２Ａの一部に設けた開口部３Ａと、該開口部３Ａの一端のヒンジ部４Ａを介して開閉自在に設けられた天窓５Ａと、農業用温室１Ａの室内から延びていて前記天窓５Ａを開閉駆動する駆動アーム６Ａとからなり、前記天窓５Ａの開放時に害虫が侵入するのを防ぐための防虫網７Ａを備えた農業用温室１Ａの窓構造において、前記防虫網７Ａの一端を前記開口部３Ａの内側縁部に、他端を最大開放状態とした天窓５Ａの側縁部にそれぞれ固定すると共に天窓５Ａの前端縁と開口部３Ａの内側縁部との間に張設された防虫網７Ａの中間部を前記駆動アーム６Ａに固定し、駆動アーム６Ａの引き込み動作により防虫網７Ａが室内側に引き込まれるように構成されている。
【０００６】
【特許文献１】実用新案登録第３０２６４９５号公報
【０００７】
また、他方において、実用新案登録第３０８１５９９号に記載の防虫網収納装置が提案されている。前記防虫網収納装置は、図１１に示すように、農業用温室１Ｂの屋根２Ｂに形成された窓開口部３Ｂをその一側縁に枢着されて天窓開閉機構６Ｂにより作動される天窓５Ｂにより開閉自在とした天窓装置の前記窓開口部３Ｂと天窓５Ｂとの間にこの天窓５Ｂが開かれたときに形成される開放部分を囲繞する防虫網７Ｂを取付けるとともに、この防虫網７Ｂの前面部を部分的に支えて常時天窓５Ｂの回動軌跡外にはみ出すことを防ぐように、防虫網７Ｂの前面部の中間に添って横方向に設けた中間保持フレーム８Ｂを前記駆動アーム６Ｂに連繋支持して、防虫網７Ｂの中間部分が常時天窓５Ｂの回動軌跡外にはみ出すことを防ぐように構成されている。
【０００８】
【特許文献２】実用新案登録第３０８１５９９号公報
【発明の開示】
【発明が解決しようとする課題】
【０００９】
しかしながら、前記実用新案登録第３０２６４９５号公報に記載された防虫網収納装置は、防虫網の中間部を前記駆動アームに固定し、駆動アームの引き込み動作により防虫網が室内側に引き込まれるように構成されているので、防虫網の前記固定位置は、駆動アームの間隔位置に限定される。したがって、駆動アームの間隔が、防虫網の引き込み動作に必要とされる間隔よりも広間隔で配置されている場合は、防虫網の引き込みが十分行われない箇所が生じる。特に、例えば後述する図６および図７に示すように、駆動アームが扇状に広がって伸びるタイプの開閉機構を有する農業用温室等では、構造上、中心の駆動アームにしか防虫網を固定できないため、固定位置間隔が広すぎて、防虫網の収納に必要なだけの固定位置間隔が取れず、収納されない部分が残る等の不都合が生じ得る。
【００１０】
一方、前記実用新案登録第３０８１５９９号公報に記載された防虫網収納装置は、防虫網の前面部の中間に添って横方向に設けた中間保持フレームを前記駆動アームに連繋支持しているので、天窓の開閉動作に伴い、中間保持フレームがアーチフレームに抵触するため、この構造を採用する場合は、中間保持フレームがアーチフレーム部分を切欠したり屈曲させて天窓の閉鎖下降時、中間保持フレームがアーチフレームにぶつからないようにする必要があり、アーチフレームの構造が複雑となり、また、切り欠いた場合には、強度の点でも問題が生じる。
【００１１】
本発明は、かかる事情に鑑みてなされたものであって、所望の固定位置間隔にて設置することができ、構造が簡単で、かつ、他のフレーム等に格別の加工を施す必要がなく、容易に設置することができる防虫網収納装置およびそれを備えた農業用温室を提供することを目的とする。
【課題を解決するための手段】
【００１２】
請求項１に記載の防虫網収納装置は、屋根に一側縁を枢支された窓と該窓を開放および閉鎖する駆動手段を有する開閉機構と前記窓の開放状態における前記窓の開口部を囲繞する防虫網とを有する窓構造において前記窓の閉鎖動作に伴い前記防虫網を室内方向へ収納する防虫網収納装置であって、前記窓に適宜間隔を隔てて取り付けられると共に前記防虫網の一部を保持して前記窓の閉鎖動作に伴い前記防虫網を室内方向へ収納する、前記駆動手段とは別体の、収納手段を備えることを特徴とする。
【００１３】
請求項１に記載の防虫網収納装置にあっては、前記窓に適宜間隔を隔てて取り付けられるので、前記防虫網の収納に必要な間隔にて取り付けられることができ、さらに、前記駆動手段とは別体に構成されているので、防虫網収納装置の取付位置は前記駆動手段の取付位置に限定されることはない。
【００１４】
請求項２に記載の防虫網収納装置は、請求項１に記載の防虫網収納装置において、前記収納手段は、前記窓の縁部から下方に向けて垂設された収納アームを備えることを特徴とする。
【００１５】
請求項２に記載の防虫網収納装置にあっては、請求項１記載の防虫網収納装置に加えて、構造が簡単で、かつ、他のフレーム等に格別の加工を施す必要がなく、容易に設置することができる。
【００１６】
請求項３に記載の防虫網収納装置は、請求項１記載の防虫網収納装置において、前記収納手段は、前記窓の他側縁から下方に向けて垂設された収納アームと、一端部が前記収納アームの下端部に連結され、他端部が前記屋根の頂部下面に連結される支持ステーと、を備えることを特徴とする。
【００１７】
請求項３に記載の防虫網収納装置にあっては、前記収納手段は、前記窓の他側縁から下方に向けて垂設された収納アームと、一端部が前記収納アームの下端部に連結され、他端部が前記屋根の頂部下面に連結される支持ステーとから構成されているので、請求項１記載の防虫網収納装置に加えて、構造が簡単で、かつ、他のフレーム等に格別の加工を施す必要がなく、容易に設置することができる。
【００１８】
請求項４に記載の防虫網収納装置は、請求項２又は３に記載の防虫網収納装置において、前記収納アームの下端部には、前記防虫網を室内方向へ収納するときに、前記収納アームの閉鎖動作による前記防虫網の巻き込みを防止する巻込防止部を備えることを特徴とする。
【００１９】
請求項４に記載の防虫網収納装置にあっては、前記窓の閉鎖動作に伴い前記防虫網を室内方向へ収納するときに、前記収納アームの下端部が前記防虫網を引っかけ前記閉鎖動作中に前記防虫網を巻き込むことがなく収納することができる。
【００２０】
請求項５に記載の農業用温室は、請求項１乃至４のいずれかに記載の防虫網収納装置を備えることを特徴とする。
【００２１】
請求項５に記載の農業用温室にあっては、農業用温室に備えた防虫網収納装置が、屋根に一側縁を枢支された窓と該窓を開放および閉鎖する駆動手段を有する開閉機構と前記窓の開放状態における前記窓の開口部を囲繞する防虫網とを有する窓構造において前記窓の閉鎖動作に伴い前記防虫網を室内方向へ収納する防虫網収納装置であって、前記窓に適宜間隔を隔てて取り付けられると共に前記防虫網の一部を保持して前記窓の閉鎖動作に伴い前記防虫網を室内方向へ収納する、前記駆動手段とは別体の、収納手段を備えるものであり、又は前記収納手段は、前記窓の縁部から下方に向けて垂設された収納アームを備えるものであり、又は前記収納手段は、前記窓の他側縁から下方に向けて垂設された収納アームと、一端部が前記収納アームの下端部に連結され、他端部が前記屋根の頂部下面に連結される支持ステーと、を備えるものであるので、この農業用温室の防虫網収納装置にあっては前記窓に適宜間隔を隔てて取り付けられるので、前記防虫網の収納に必要な間隔にて取り付けられることができ、さらに、前記駆動手段とは別体に構成されているので、防虫網収納装置の取付位置は前記駆動手段の取付位置に限定されることはなく、又は、前記収納手段は、前記窓の他側縁から下方に向けて垂設された収納アームと、一端部が前記収納アームの下端部に連結され、他端部が前記屋根の頂部下面に連結される支持ステーとから構成されているので、構造が簡単で、かつ、他のフレーム等に格別の加工を施す必要がなく、容易に設置することができる。
【００２２】
また、前記収納アームの下端部に、前記防虫網を室内方向へ収納するときに、前記収納アームの閉鎖動作による前記防虫網の巻き込みを防止する巻込防止部を備える場合は、前記収納アームの下端部が前記防虫網を引っかけ前記閉鎖動作中に前記防虫網を巻き込むことがなく収納することができる。
【発明の効果】
【００２３】
請求項１に記載の防虫網収納装置によれば、屋根に一側縁を枢支された窓と該窓を開放および閉鎖する駆動手段を有する開閉機構と前記窓の開放状態における前記窓の開口部を囲繞する防虫網とを有する窓構造において前記窓の閉鎖動作に伴い前記防虫網を室内方向へ収納する防虫網収納装置であって、前記窓に適宜間隔を隔てて取り付けられると共に前記防虫網の一部を保持して前記窓の閉鎖動作に伴い前記防虫網を室内方向へ収納する、前記駆動手段とは別体の、収納手段を備えるので、前記窓に適宜間隔を隔てて取り付けられるので、前記防虫網の収納に必要な間隔にて取り付けられることができ、さらに、前記駆動手段とは別体に構成されているので、防虫網収納装置の取付位置は前記駆動手段の取付位置に限定されることはない。
【００２４】
請求項２に記載の防虫網収納装置によれば、前記収納手段は、前記窓の縁部から下方に向けて垂設された収納アームで構成されているので、請求項１記載の防虫網収納装置に加えて、構造が簡単で、かつ、他のフレーム等に格別の加工を施す必要がなく、容易に設置することができる。
【００２５】
請求項３に記載の防虫網収納装置によれば、前記収納手段は、前記窓の他側縁から下方に向けて垂設された収納アームと、一端部が前記収納アームの下端部に連結され、他端部が前記屋根の頂部下面に連結される支持ステーとから構成されているので、請求項１記載の防虫網収納装置に加えて、構造が簡単で、かつ、他のフレーム等に格別の加工を施す必要がなく、容易に設置することができる。
【００２６】
請求項４に記載の防虫網収納装置によれば、前記収納アームの下端部に、前記防虫網を室内方向へ収納するときに前記収納アームの閉鎖動作による前記防虫網の巻き込みを防止する巻込防止部を備えるので、前記収納アームの下端部が前記防虫網を引っかけて前記閉鎖動作中に前記防虫網を巻き込むことがなく収納することができ、前記窓の閉鎖動作時の前記防虫網の破損および脱落を防止することができる。
【００２７】
請求項５に記載の農業用温室によれば、農業用温室に備えた防虫網収納装置が、屋根に一側縁を枢支された窓と該窓を開放および閉鎖する駆動手段を有する開閉機構と前記窓の開放状態における前記窓の開口部を囲繞する防虫網とを有する窓構造において前記窓の閉鎖動作に伴い前記防虫網を室内方向へ収納する防虫網収納装置であって、前記窓に適宜間隔を隔てて取り付けられると共に前記防虫網の一部を保持して前記窓の閉鎖動作に伴い前記防虫網を室内方向へ収納する、前記駆動手段とは別体の、収納手段を備えるものであり、又は前記収納手段は、前記窓の縁部から下方に向けて垂設された収納アームを備えるものであり、又は前記収納手段は、前記窓の他側縁から下方に向けて垂設された収納アームと、一端部が前記収納アームの下端部に連結され、他端部が前記屋根の頂部下面に連結される支持ステーと、を備えるものであるので、この農業用温室の防虫網収納装置にあっては前記窓に適宜間隔を隔てて取り付けられるので、前記防虫網の収納に必要な間隔にて取り付けられることができ、さらに、前記駆動手段とは別体に構成されているので、防虫網収納装置の取付位置は前記駆動手段の取付位置に限定されることはなく、又は、前記収納手段は、前記窓の他側縁から下方に向けて垂設された収納アームと、一端部が前記収納アームの下端部に連結され、他端部が前記屋根の頂部下面に連結される支持ステーとから構成されているので、構造が簡単で、かつ、他のフレーム等に格別の加工を施す必要がなく、容易に設置することができる。
【００２８】
また、前記収納アームの下端部に、前記防虫網を室内方向へ収納するときに、前記収納アームの閉鎖動作による前記防虫網の巻き込みを防止する巻込防止部を備える場合は、前記収納アームの下端部が前記防虫網を引っかけ前記閉鎖動作中に前記防虫網を巻き込むことがなく収納することができる。
【発明を実施するための最良の形態】
【００２９】
以下、本発明を実施するための最良の形態を図面に基づいて具体的に説明する。
【００３０】
（第１の実施の形態）
【００３１】
図１は、本発明にかかる第１の実施の形態の防虫網収納装置を備えた農業用温室の概略斜視図であり、図２は、農業用温室の要部断面図である。
【００３２】
図１および図２において、１０は農業用温室であり、１１は支柱である。該支柱１１は、横方向と奥行方向に夫々複数本が立設されており、該支柱１１の上部には横方向に向けてトラス梁１２を架設すると共に、これと直交する奥行方向において長尺のアーチ受材１３を架設している。該アーチ受材１３には奥行方向に向けて円弧状のアーチパイプ１４が多数並設されており、該アーチパイプ１４は、天頂部において、略く字状に屈曲した円筒形状のアーチパイプ接続具１５により、突合状態で、逆斜面のアーチパイプ１４と連結されている。前記アーチパイプ１４の下面には、前記アーチパイプ１４と直交して長尺状のもや材１７が配設されており、該もや材１７は結束部材１８により前記アーチパイプ１４の下面に固定されている。前記もや材１７の上方には、天窓支持材１９が前記もや材１７と並行に架設され、前記アーチパイプ１４に螺着されている。
【００３３】
図中２０は、天窓であり、該天窓２０は、図４に詳細に示すように、長尺状の天窓上枠材２０ａと長尺状の天窓下枠材２０ｂとの間に、複数個の縦桟を架設して構成されており、前記天窓上枠材２０ａの端部にはヒンジ部２０ｄが形成されており、一方、前記天窓下枠材２０ｂの端部には、防虫網受部２０ｃが形成されている。
【００３４】
前記アーチパイプ接続具１５の上部には、図４に詳細に示すように、奥行方向に向けて、長尺状の棟材１６がボルトＢとナットＮにより接合されており、該棟材１６の上部片側にはヒンジ受部１６ａを形成して、前記天窓上枠材２０ａのヒンジ部２０ｄを回動自在に抱持している。そして、前記天窓２０の開口部２１を囲繞するように防虫網２２が張設されており、前記開口部２１からの害虫の侵入又は受粉用等昆虫の逃走を防止している。
【００３５】
図中２４は、前記天窓２０の開閉機構であり、該開閉機構２４は、前記トラス梁１２の上部に設けられ、電動モータ（図示せず）、ピニオン（図示せず）およびラック（図示せず）を含み、前記トラス梁１２上を前記ラックが横方向に水平移動することにより、前記ラックに上方に向けて回動自在に取り付けた駆動アーム２４ａを、揺動させながら上下動させて、これにより、該駆動アーム２４ａの先端に取り付けた前記天窓２０の他側縁を上下動させて前記天窓２０の開放および閉鎖を行っている。なお、図１および図２は、前記天窓２０を開放した状態の概略図であり、図２において、破線部は前記天窓を閉鎖した状態を示している。
【００３６】
図３は、天窓および天窓周辺の拡大断面図であり、図４は、天窓部および天窓周辺の要部拡大断面図であり、図５は、防虫網収納装置等の分解斜視図である。なお、図３において、破線部は前記天窓を閉鎖した状態を示している。
【００３７】
本発明に係る第１の実施の形態の防虫網収納装置２３は、図３乃至図５に示すように、両端部に軸孔を設けた金属製の収納アーム２３ａと、該収納アーム２３ａと概略Ｌ字状となるように前記一方の端部を連結した金属製の支持ステー２３ｂとからなり、前記収容アーム２３ａの他端部は、取付部材２５を介して前記天窓下枠材２０ｂの下面に回動自在に軸支され、前記支持ステー２３ｂの他端部は、取付部材２５を介して前記棟材１６の下面に回動自在に軸支される。なお、前記取付部材２５は、図５に示すように、矩形状の基台２５ａにボルト孔２５ｂを２カ所開孔すると共に、前記基台２５ａの中央部から、中央部に軸孔２５ｃを開孔した取付板２５ｄを、突設形成している。
【００３８】
図中２６は、嵌合部材であり、図５に詳細に示すように、該嵌合部材２６は、可撓性を有する合成樹脂等により形成された断面略Ｃ字形状の筒状の嵌合本体２６ａと、金属製のリング状の止金具２６ｂとからなり、予め、前記止金具２６ｂを前記嵌合本体２６ａに嵌め込んでおき、前記嵌合本体２６ａを、前記防虫網２２を前記収納アーム２３ａと前記嵌合本体２６ａと間で挟持した状態で、室外側から前記収納アーム２３ａに強制的に嵌合することにより、前記防虫網２２を、前記収納アーム２３ａの長手方向の中間部より、やや上方に固定している。
【００３９】
また、前記収納アーム２３ａは、図３に示すように、前記天窓２０の最大開放状態において、前記収納アーム２３ａの下端部２３ｃが前記天窓支持材１９より下方に突出するだけの長さの全長を備えており、これにより、前記天窓２０が閉鎖動作する場合に、前記収納アーム２３ａの下端部２３ｃが前記防虫網２２に引っ掛かり、引っ掛かった状態で前記防虫網２２を引き込んで前記防虫網２２が破損したり、脱落する等の不具合を防止している。
【００４０】
図６は、天窓の開放状態を室内から示す斜視図であり、図７は、天窓の閉鎖状態を室内から示す斜視図である。
【００４１】
図６に示すように、前記防虫網収納装置２３は、前記取付部材２５によって前記棟材１６の下面と前記天窓下枠材２０ｂとに夫々、所望の位置にて取り付けられている。従って、取付作業はボルトとナットとで容易に行うことができる。また、前記防虫網収納装置２３は、前記駆動アーム２４ａとは別体であり、取付位置が駆動アーム２４ａの位置とは無関係に所望の位置にて取り付けることができるため、前記防虫網２２の収納に必要な間隔を隔てて取り付けることができる。
【００４２】
また、図６に示す天窓の開放状態から、図７に示す天窓の閉鎖状態に移行する際において、前記収納アーム２３ａの下端部２３ｃは、天窓の開放状態において前記天窓支持材１９より下方に位置しているので、前記開閉機構２４の閉鎖動作中に、前記収納アーム２３ａの下端部２３ｃが前記防虫網２２に引っ掛かり、引っ掛かった状態で前記防虫網２２を引き込んで前記防虫網２２が破損したり、脱落することはない。さらに、前記防虫網収納装置２３は、図５に示すように、簡易な構成からなるため、容易に、かつ、安価に製造することができる。
【００４３】
なお、前記防虫網収納装置２３は、前記収納アーム２３ａと前記支持ステー２３ｂとから構成し、前記支持ステー２３ｂの他端部は前記棟材１６の下面に取付けているが、これに限らず、前記支持ステー２３ｂの他端部を前記天窓２０の天窓上枠材２０ａ下面に取り付けても良い。
【００４４】
（第２の実施の形態）
【００４５】
図８は、本発明に係る第２の実施の形態の防虫網収納装置を示す要部側面図であり、破線部は前記天窓２０を閉鎖した状態を示している。なお、図８において、図１乃至図７と共通する部分には同一符合を付して説明を省略する。
【００４６】
図８において、３３は、本発明に係る第２の実施の形態の防虫網収納装置であり、該防虫網収納装置３３は、円筒状の金属製パイプからなる収納アーム３３ａの上端には、前記天窓２０の天窓下枠材２０ｂに固定する取付部３３ｂを設けてあり、前記収納アーム３３ａの上端部は室内側に屈曲して形成される。なお、前記取付部３３ｂには、ボルト孔（図示せず）が開孔されており、前記天窓下枠材２０ｂに締結固定されている。
【００４７】
そして、前記収納アーム３３ａの上方部において、前記止金具２６ｂを嵌め込んだ前記嵌合本体２６ａを、前記防虫網２２を前記収納アーム３３ａと前記嵌合本体２６ａと間で挟持するように、室外側から前記収納アーム３３ａに強制的に嵌合することにより、前記防虫網２２を固定している。
【００４８】
前記収納アーム３３ａは、第１の実施の態様の前記収納アーム２３ａと同様に、前記天窓２０の最大開放状態において、前記収納アーム３３ａの下端部３３ｃが前記天窓支持材１９より下方に突出するだけの長さの全長を備えており、これにより、前記天窓２０が閉鎖動作する場合に、前記収納アーム３３ａの下端部３３ｃが前記防虫網２２に引っ掛かり、引っ掛かった状態で前記防虫網２２を引き込んで前記防虫網２２が破損したり、脱落する等の不具合を防止している。
【００４９】
以上のように、第２の実施の形態の防虫網収納装置３３は、第１の実施の形態の防虫網収納装置２３に比して、前記支持ステー２３ｂを設けずに、前記収納アーム３３ａのみで構成している。従って、第１の実施の形態の防虫網収納装置２３よりも、さらに簡易な構成からなり、さらに、容易に、かつ、安価に製造することができる。
【００５０】
（第３の実施の形態）
【００５１】
図９は、本発明に係る第３の実施の形態の防虫網収納装置を示す要部側面図であり、破線部は前記天窓２０を閉鎖した状態を示している。なお、図９において、図１乃至図７と共通する部分には同一符合を付して説明を省略する。
【００５２】
図９において、４３は、本発明に係る第３の実施の形態の防虫網収納装置であり、該防虫網収納装置４３は、円筒状の金属製パイプからなる収納アーム４３ａの上端には、前記天窓２０の天窓下枠材２０ｂに固定する取付部４３ｂを設けてあり、前記収納アーム４３ａの上端部は室内側に屈曲して形成される。なお、前記取付部４３ｂには、ボルト孔（図示せず）が開孔されており、前記天窓下枠材２０ｂに締結固定されている。
【００５３】
前記収納アーム４３ａは、前記天窓２０の開口長さの略半分程度の長さの全長を備えており、前記収納アーム４３ａの下端部は、室内側に向けて屈曲した巻き込み防止部４３ｃを備えており、これにより、前記天窓２０が閉鎖動作する場合に、前記収納アーム４３の下端部が前記防虫網２２に引っ掛かり、引っ掛かった状態で前記防虫網２２を引き込んで前記防虫網２２が破損したり、外れる等の不具合を防止している。
【００５４】
したがって、前記第３の実施の形態の防虫網収納装置４３は、第２の実施の形態の防虫網収納装置３３に比して、前記収納アーム４３ａの全長を長く設ける必要はなく、コンパクトな大きさに形成しても、前記巻き込み防止部４３ｃによって、前記防虫網２２が、前記防虫網収納装置４３に巻き込まれることはない。従って、前記第３の実施の態様に依れば、第２の実施の形態の防虫網収納装置３３よりも、さらにコンパクトな構成でよく、取り回しが容易となり、取付作業が更に容易となる。
【図面の簡単な説明】
【００５５】
【図１】本発明にかかる第１の実施の態様の防虫網収納装置を備えた農業用温室の概略斜視図である。
【図２】農業用温室の要部断面図である。
【図３】天窓および天窓周辺の拡大断面図である。
【図４】天窓部および天窓周辺の要部拡大断面図である。
【図５】防虫網収納装置等の分解斜視図である。
【図６】天窓の開放状態を室内から示す斜視図である。
【図７】天窓の閉鎖状態を室内から示す斜視図である。
【図８】第２の実施の態様の防虫網収納装置を示す要部側面図である。
【図９】第３の実施の態様の防虫網収納装置を示す要部側面図である。
【図１０】従来例を示す要部側面図である。
【図１１】従来例を示す一部切欠側面図である。
【符号の説明】
【００５６】
１０    農業用温室
１１    支柱
１２    トラス梁
１３    アーチ受材
１４    アーチパイプ
１５    アーチパイプ接続具
１６    棟材
１６ａ  ヒンジ受部
１７    もや材
１８    結束部材
１９    天窓支持材
１９ａ  防虫網受部
２０    天窓
２０ａ  天窓上枠材
２０ｂ  天窓下枠材
２０ｃ  防虫網受部
２０ｄ  ヒンジ部
２１    開口部
２２    防虫網
２３、３３、４３    収納装置
２３ａ、３３ａ、４３ａ  収納アーム
２３ｂ  支持ステー
２３ｃ、３３ｃ  （収納アームの）下端部
２４    開閉機構
２４ａ  駆動アーム
２５    取付部材
２５ａ  基台
２５ｂ  ボルト孔
２５ｃ  軸孔
２５ｄ  取付板
２６    嵌合部材
２６ａ  嵌合部本体
２６ｂ  止金具
３３ｂ、４３ｂ  取付部
４３ｃ  巻込防止部
【図１】
2006136237.tif 000003
【図２】
2006136237.tif 000004
【図３】
2006136237.tif 000005
【図４】
2006136237.tif 000006
【図５】
2006136237.tif 000007
【図６】
2006136237.tif 000008
【図７】
2006136237.tif 000009
【図８】
2006136237.tif 000010
【図９】
2006136237.tif 000011
【図１０】
2006136237.tif 000012
【図１１】
2006136237.tif 000013